(57)【特許請求の範囲】
【請求項１】
電子回路が搭載された配線基板と、前記配線基板が取り付けられたケースと、を備えた電子機器において、
前記ケースの上面部に孔部が設けられていると共に、前記配線基板の前記孔部に面する側にラバーシートが取り付けられており、
前記ラバーシートには凸部が設けられて、前記凸部の前記上面部側の押し当て面が前記孔部を塞ぐように前記ケースに押し当てられ、
前記ケースの下面部に突起部が設けられて、前記突起部の前記上面部側の支え面が前記凸部を内側から支えていることを特徴とする電子機器。
【請求項２】
前記ラバーシートが、前記配線基板全体を覆う防水用のカバーとなっている、ことを特徴とする請求項１に記載の電子機器。
【請求項３】
前記凸部の前記押し当て面の領域の肉厚が、隣接する面の領域の肉厚より厚くなっている、ことを特徴とする請求項１又は請求項２に記載の電子機器。
【請求項４】
ラバードームを備えたスイッチ装置を有し、前記ラバーシートの一部が前記ラバードームとなっている、ことを特徴とする請求項１乃至請求項３のいずれかに記載の電子機器。
【発明の詳細な説明】
【技術分野】
【０００１】
本発明は、電子回路を搭載した電子機器に関し、特に防水構造を施した電子機器に関する。
【背景技術】
【０００２】
電子回路を搭載した電子機器においては、電子機器内に水や飲み物等の液体が侵入した場合、配線基板上に設けられた電子回路が被水してしまうことによって電子回路の短絡等の電気的障害や、配線基板上の機構部品の動作不良等の事故が引き起こされてしまう。このような事故を防止するため、水や飲み物等の液体がかかる可能性のある電子機器に対応した防水構造が存在する。このような従来の電子機器の防水構造として、下記の特許文献１に記載のキートップ９００の構造が知られている。図６を用いてキートップ９００の構造について説明する。
【０００３】
キートップ９００は公衆電話機に備えられており、機器本体の前面部９０４で穴９０４ａが穿設され、穴９０４ａに押釦９１３が摺動自在となっている。押釦９１３の押下によりスイッチ装置９１５の接点９１５ａが接点基板９１４に当接してパターン接点を閉じる。押釦９１３の円柱部９１３ａの周面には押釦９１３の押下方向と直行する環状の溝９１３ｃが設けられている。また、この溝９１３ｃと係合する穴９２０ａを備える可撓性を有する薄板状のパッキン９２０が前面部９０４の裏面に配設されている。
【０００４】
このような構造によって、防水及び防塵を施し、かつ操作感覚の悪化及び接点の誤動作を防止することができるという効果を奏する。
【先行技術文献】
【特許文献】
【０００５】
【特許文献１】実開平５−０９０７５７号公報
【発明の概要】
【発明が解決しようとする課題】
【０００６】
しかしながら、キートップ９００では、スイッチ装置９１５用のラバーシートが配線基板を覆っていると共に、このラバーシートとは別に防水部品としてパッキン９２０が設けられている。そのため、部品点数が増えてしまっていた。その結果、電子機器を製造するためのコストがアップすると共に、組み立て性が悪化してしまうという問題があった。
【０００７】
本発明はこのような従来技術の実情に鑑みてなされたもので、部品点数の増加を伴わずに、組み立て性を良くした防水構造を施した電子機器を提供することを目的とする。
【課題を解決するための手段】
【０００８】
上記課題を解決するために本発明は、電子回路が搭載された配線基板と、前記配線基板が取り付けられたケースと、を備えた電子機器において、
前記ケースの上面部に孔部が設けられていると共に、前記配線基板の前記孔部に面する側にラバーシートが取り付けられており、
前記ラバーシートには凸部が設けられて、前記凸部の前記上面部側の押し当て面が前記孔部を塞ぐように前記ケースに押し当てられ、
前記ケースの下面部に突起部が設けられて、前記突起部の前記上面部側の支え面が前記凸部を内側から支えている、という特徴を有する。
【０００９】
このように構成された電子機器は、ケースに設けられた孔部を塞ぐための防水部を配線基板に取り付けられたラバーシートと一体に設けたので、部品点数の増加を伴わずに、組み立て性を良くした防水構造とすることができる。
【００１０】
また、上記の構成において、前記ラバーシートが、前記配線基板全体を覆う防水用のカバーとなっている、という特徴を有する。
【００１１】
このように構成された電子機器は、ラバーシートが配線基板全体を覆う構造となっているため、仮に少量の水が浸入してきても、ラバーシートが配線基板を確実に防水することができ、電子回路の短絡等の障害を起こすことがない。
【００１２】
また、上記の構成において、前記凸部の押し当て面の領域の肉厚が、隣接する面の領域の肉厚より厚くなっている、という特徴を有する。
【００１３】
このように構成された電子機器は、凸部の押し当て面の肉厚を厚くしたので、押し当て面を孔部に圧着させてこの領域の肉厚を厚さ方向に変形させることによって凸部の厚さ方向の寸法バラツキを吸収し、孔部をより確実に塞ぐことができる。また、隣接する面の領域の肉厚は厚くしていないので、材料の使用量の増加を抑えることができる。
【００１５】
また、このように構成された電子機器は、突起部の支え面が凸部の押し当て面の下側（裏側）に当接して支えているので、配線基板から孔部までの距離が長い場合でも、部品点数を増やさずに確実に孔部を塞ぐことができる。
【００１６】
また、上記の構成において、ラバードームを備えたスイッチ装置を有し、前記ラバーシートの一部が前記ラバードームとなっている、という特徴を有する。
【００１７】
このように構成された電子機器は、ラバーシートの一部をスイッチ装置のラバードームと兼用しているため、部品点数を増加させることがない。
【発明の効果】
【００１８】
本発明の電子機器は、ケースに設けられた孔部を塞ぐための防水部を配線基板に取り付けられたラバーシートと一体に設けたので、部品点数の増加を伴わずに、組み立て性を良くした防水構造とすることができる。
【図面の簡単な説明】
【００１９】
【図１】本発明の第１実施形態における電子機器の外観を示す斜視図である。
【図２】電子機器の平面図である。
【図３】電子機器の構造を示す断面図である。
【図４】本発明の第２実施形態における電子機器の構造を示す断面図である。
【図５】本発明の第３実施形態における電子機器の構造を示す断面図である。
【図６】従来例に係る電子機器の構造を示す断面図である。
【発明を実施するための形態】
【００２０】
以下、本発明の電子機器の実施形態について図面を参照しながら説明する。本発明の電子機器は、例えば、水や飲み物等の液体がかかる可能性のある電子機器であって、筐体であるケースの上面に意匠用の複数の孔部が形成されている電子機器である。本発明の電子機器は、外部装置に接続されて当該外部装置の操作を行なうための電子機器であっても良い。尚、本発明の電子機器の用途については、これに限定されるものではなく適宜変更が可能である。また、本明細書では、特に断りの無い限り、各図面のＸ１側を右側、Ｘ２側を左側、Ｙ１側を奥側、Ｙ２側を手前側、Ｚ１側を上側、Ｚ２側を下側として説明する。
【００２１】
［第１実施形態］
最初に、図１乃至図３を参照して、本発明の第１実施形態の電子機器１００の構造について説明する。図１は、電子機器１００の外観を示す斜視図であり、図２は、電子機器１００の平面図である。図３は、図２に示すＡ−Ａ線から左方向を見た時の電子機器１００の内部の構造を示す断面図である。
【００２２】
図１に示すように、電子機器１００は、略直方体形状をしたケース２０を有して形成されている。ケース２０は、図１及び図３に示すように、上面部２１と、上面部２１に対向して設けられた下面部２３と、四方向を囲む側面部２５とで構成されている。ケース２０は、合成樹脂等で形成されている。
【００２３】
上面部２１には、図１及び図２に示すように、電子機器１００の内部又は外部の情報を表示するための表示部２１ａが設けられている。表示部２１ａは、例えば、電子機器１００が外部装置に接続されている場合、その外部装置の状態を表示する。尚、表示部２１ａに当該外部装置の操作を行なうための操作部が設けられていても良い。
【００２４】
ケース２０における上面部２１には、表示部２１ａ以外に、意匠用の複数の孔部７が設けられている。複数の孔部７はそれぞれ、図２に示すように、平面視円形状をしており、互いに所定の間隔を隔てて配置されている。孔部７は、円形状以外に多角形形状をしていても良い。また、孔部７は、図３に示すように、上面部２１の厚み方向（上下方向）を貫通している。
【００２５】
ケース２０内には、図３に示すように、配線基板４０が取り付けられている。また、配線基板４０の上面には、配線パターンや電子部品（図示せず）によって構成されている電子回路４５が搭載されている。電子回路４５は、上面部２１に設けられた表示部２１ａ内の回路と電気的に接続されている。尚、電子回路４５は、配線基板４０の上面以外にも、配線基板４０の下面等に設けられていても良い。
【００２６】
配線基板４０の、孔部７に面する側には、電子回路４５を覆うように、ラバーシート１０が取り付けられている。ラバーシート１０は、配線基板４０全体を覆う防水用のカバーとなっている。ラバーシート１０は、エストラマー等の弾性を有する材料で形成されており、弾性変形可能となっている。尚、ラバーシート１０は、配線基板４０全体でなく、電子回路４５を構成する電子部品を含んでいれば、配線基板４０を部分的に覆うように設けられていても良い。
【００２７】
配線基板４０上に取り付けられたラバーシート１０には凸部１１が設けられていて、凸部１１の上面部２１側の押し当て面１１ｂが上面部２１に設けられている孔部７を塞ぐようにケース２０に押し当てられている。凸部１１は、内部に空間領域１１ａを有する円柱形状をしている。凸部１１は、円柱形状以外にも角柱形状であっても良く、凸部１１の押し当て面１１ｂが、少なくとも孔部７を塞ぐ大きさを有していれば良い。ラバーシート１０における凸部１１の押し当て面１１ｂを、ケース２０に押し当てて孔部７を塞ぐことによって、孔部７から水等の液体が侵入することを防止することができる。
【００２８】
凸部１１の上面部２１側の押し当て面１１ｂの領域の肉厚が、凸部１１の隣接する面の領域の肉厚より厚くなっている。押し当て面１１ｂの領域の肉厚の厚さが厚い分だけ他の面の領域と比較して、より弾性変形可能となっているため、押し当て面１１ｂの領域は、この面がケース２０に押し当てられた際に、厚さ方向にその形状が変形して凸部１１の厚さ方向の寸法バラツキを吸収する。その結果、凸部１１の押し当て面１１ｂをケース２０に密着させることができる。また、隣接する面の領域の肉厚は厚くしていないので、材料の使用量の増加を抑えることができる。
【００２９】
［第２実施形態］
次に、図４を参照して、本発明の第２実施形態の電子機器２００の構造について説明する。図４は、電子機器２００の内部の構造を示す断面図である。電子機器２００の電子機器１００との構造上の相違点は、突起部５７が設けられていることと配線基板６０の構造だけである。従って、ケース５０の突起部５７及び配線基板６０に関すること以外については、その説明を省略する。また、その他の構成要件に対して、電子機器１００に付与した符号をそのまま使用する。
【００３０】
図４に示すように、電子機器２００のケース５０は、上面部２１と、上面部２１に対向して設けられた下面部５３と、四方向を囲む側面部２５とで構成されている。
【００３１】
ケース５０における下面部５３には、円柱形状の突起部５７が下面部５３から上方向に突出するように設けられている。突起部５７は、ケース５０と一体に構成されているため、ケース５０と同じ合成樹脂等で形成されている。突起部５７は、円柱形状以外にも角柱形状であっても良い。
【００３２】
また、配線基板６０の、平面視で突起部５７が位置する箇所には、配線基板６０を厚さ方向（上下方向）に貫通する挿通孔６５が設けられている。突起部５７は、配線基板６０の挿通孔６５を下から挿通し、配線基板６０の上にあるラバーシート１０の凸部１１内の空間領域１１ａに挿入される。そして、当該突起部５７の上面部２１側の支え面５７ａが、前述した凸部１１の上面部２１側の押し当て面１１ｂの下側（裏側）に当接する。そのため、突起部５７の支え面５７ａは、ラバーシート１０の凸部１１全体が座屈しないように支えると共に、凸部１１の押し当て面１１ｂをケース２０の孔部７を塞ぐように強く押し当て、この押し当て面１１ｂをケース２０に密着させることができる。
【００３３】
［第３実施形態］
次に、図５を参照して、本発明の第３実施形態の電子機器３００の構造について説明する。図５は、電子機器３００の内部の構造を示す断面図である。電子機器３００の電子機器１００との構造上の相違点は、電子機器３００にスイッチ装置３０が設けられていることと、それに伴ってラバーシート７０の形状が電子機器１００のラバーシート１０とは異なること、及び電子回路８５の構成が異なることだけである。従って、これらに関すること以外に対しては、その説明を省略する。また、その他の構成要件に対して、電子機器１００に付与した符号をそのまま使用する。
【００３４】
図５に示すように、電子機器３００のケース２０内には、配線基板４０が取り付けられている。また、配線基板４０の上面には、配線パターンや電子部品（図示せず）によって構成されている電子回路８５が搭載されている。電子回路８５は、上面部２１に設けられた表示部２１ａと接続されている。
【００３５】
配線基板４０の、孔部７に面する側に、電子回路８５を覆うようにラバーシート７０が取り付けられている。ラバーシート７０は、配線基板４０全体を覆う防水用のカバーとなっている。尚、ラバーシート７０は、配線基板４０全体でなく、電子回路８５を構成する電子部品を含んでいれば、配線基板４０を部分的に覆うように設けられていても良い。
【００３６】
電子機器３００は、ラバードーム３１を備えたスイッチ装置３０を有している。スイッチ装置３０のラバードーム３１の中央部の面の裏側（下側）には、接点３３が設けられており、ラバードーム３１の中央部の面の表側（上側）を押圧することによって、スイッチ装置３０が導通するように構成されている。電子回路８５には、スイッチ装置３０が押圧操作された際にスイッチ装置３０の接点３３が接触するための電極（図示せず）が設けられていると共に、スイッチ装置３０に対応する回路が組み込まれている。
【００３７】
電子機器３００では、ラバーシート７０の一部が当該スイッチ装置３０のラバードーム３１となっている。即ち、ラバーシート７０の一部が、図５に示すように、上方向に持ち上がってドーム状に成形されており、このドーム状に成形された部分がスイッチ装置３０のラバードーム３１を形成している。従って、ラバーシート７０が、配線基板４０全体を覆う防水用のカバーとスイッチ装置３０のラバードーム３１とを兼用することになる。
【００３８】
スイッチ装置３０を操作するための操作部は、ケース２０の上面部２１にある表示部２１ａの下側に設けられていても良い。
【００３９】
以下、本実施形態としたことによる効果について説明する。
【００４０】
電子機器１００は、ケース２０に設けられた孔部７を塞ぐための防水部を配線基板４０に取り付けられたラバーシート１０と一体に設けたので、部品点数の増加を伴わずに、組み立て性を良くした防水構造とすることができる。
【００４１】
また、ラバーシート１０が配線基板４０全体を覆う構造となっているため、仮に少量の水が浸入してきても、ラバーシート１０が配線基板４０を確実に防水することができ、電子回路４５の短絡等の障害を起こすことがない。
【００４２】
また、凸部１１の上面部２１側の押し当て面１１ｂの肉厚を厚くしたので、凸部１１の押し当て面１１ｂを孔部７に圧着させてこの領域の肉厚を厚さ方向に変形させることによって凸部１１の厚さ方向の寸法バラツキを吸収し、孔部７をより確実に塞ぐことができる。また、隣接する面の領域の肉厚は厚くしていないので、材料の使用量の増加を抑えることができる。
【００４３】
電子機器２００は、突起部５７の上面部２１側の支え面５７ａが凸部１１の上面部２１側の押し当て面１１ｂの下側（裏側）に当接して支えているので、配線基板６０から孔部７までの距離が長い場合でも、部品点数を増やさずに確実に孔部７を塞ぐことができる。
【００４４】
電子機器３００は、ラバーシート７０の一部をスイッチ装置３０のラバードーム３１と兼用しているため、部品点数を増加させることがない。
【００４５】
以上説明したように、本発明の電子機器は、ケースに設けられた孔部を塞ぐための防水部を配線基板に取り付けられたラバーシートと一体に設けたので、部品点数の増加を伴わずに、組み立て性を良くした防水構造とすることができる。
【００４６】
本発明は上記の実施形態に限定されるものではなく、要旨を逸脱しない範囲で種々変更して実施することが可能である。例えば、本発明の第３実施形態では、電子機器３００を、電子機器１００を基にして構成したが、電子機器２００を基にして構成しても良い。
【符号の説明】
【００４７】
７        孔部
１０      ラバーシート
１１      凸部
１１ａ    空間領域
１１ｂ    押し当て面
２０      ケース
２１      上面部
２１ａ    表示部
２３      下面部
２５      側面部
３０      スイッチ装置
３１      ラバードーム
３３      接点
４０      配線基板
４５      電子回路
５０      ケース
５３      下面部
５７      突起部
５７ａ    支え面
６０      配線基板
６５      挿通孔
７０      ラバーシート
８５      電子回路
１００    電子機器
２００    電子機器
３００    電子機器
【図１】
0006436898.tif 000002
【図２】
0006436898.tif 000003
【図３】
0006436898.tif 000004
【図４】
0006436898.tif 000005
【図５】
0006436898.tif 000006
【図６】
0006436898.tif 000007